(57)【特許請求の範囲】
【請求項１】
遊技機の遊技盤に固定され、その遊技盤上の遊技球を受け入れるための入賞口を有する遊技機用可変入賞装置であって、
前記遊技盤と交差する前後方向の回動軸線周りに回動可能に取り付けられ、前記入賞口の開口態様を変更するために、遊技球の入賞率が相対的に低くなる第一位置とその入賞率が相対的に高くなる第二位置との間で回動する回動体と、
遊技者側を前方側とする前後方向に配置されて励磁に伴って直線的に変位するプランジャの前端部に形成されたヘッド部を、後方側の後退位置と前方側の突出位置とでそれぞれ消磁して保持可能であり、そのプランジャの前後移動によって前記回動体を前記回動軸線周りで回動して前記第一位置と第二位置とに変位させるための自己保持型ソレノイドと、
前記回動体と自己保持型ソレノイドとの間に配置され、前記回動軸線と交差状に配置された揺動軸線周りで揺動することにより、前記プランジャのヘッド部が前記後退位置に変位したとき前記回動体を前記第一位置に変位させ、該プランジャのヘッド部が前記突出位置に変位したとき該回動体を前記第二位置に変位させるように、前記ヘッド部の前後方向への直線的な移動を前記回動体の回転移動に変換しつつ前記プランジャの駆動力を前記回動体へ伝達する伝達部材を含んで構成された伝達機構とを備え、
前記伝達部材は前記プランジャのヘッド部と連結されて該プランジャの前後移動に伴って揺動する第一係合部と、前記プランジャの中心線に対して前記回動軸線よりも外側で前記回動体に当接して該回動体を前記第一位置に維持可能な第二係合部とを有し、前記回動体が前記第一位置にあるとき、前記第一係合部とヘッド部との連結位置及び前記第二係合部と回動体との当接位置がともに前記揺動軸線よりも上方に位置するように構成され、
前記プランジャのヘッド部が前記後退位置のときに、前記連結位置は前記揺動軸線よりも上方に位置し、前記自己保持型ソレノイドが消磁して前記プランジャが永久磁石により該後退位置に磁気的に吸着保持され、前記回動体を前記第一位置に維持する一方、前記プランジャのヘッド部が前記後退位置から前記突出位置に変位するとき、前記第一係合部の揺動運動により前記揺動軸線の上方において前記連結位置が前方側に移動して、前記回動体を前記第一位置から前記第二位置に変位させ、さらに前記プランジャのヘッド部が前記突出位置のときに、前記自己保持型ソレノイドが消磁して前記プランジャが弾発部材により該突出位置に機械的に弾発保持され、前記回動体を前記第二位置に維持することを特徴とする遊技機用可変入賞装置。
【請求項２】
前記回動体は、単一の前記自己保持型ソレノイドで同時駆動され、かつ平行状に配置された前記回動軸線周りでそれぞれ回動される一対の回動翼片で構成されている請求項１に記載の遊技機用可変入賞装置。
【請求項３】
前記入賞口を前面側から覆う前側装飾部を備え、
前記前側装飾部の背面側と前記回動体の前面側とには、一方側に形成された回動規制長孔と、他方側から突出形成されて前記回動規制長孔に挿入配置された規制片とからなる規制部が設けられ、
前記第一位置及び第二位置で前記回動規制長孔と前記規制片とが前記回動軸線よりも外側となる位置で当接することにより、前記回動体の前記回動軸線周りでの回動範囲が規制されている請求項１又は２に記載の遊技機用可変入賞装置。
【請求項４】
前記自己保持型ソレノイドのプランジャは、本体ケースから突出する前端部に前記ヘッド部が形成され、
前記自己保持型ソレノイドは、前記本体ケースの内部で前記プランジャの周囲に巻き付けられ、励磁用印加電圧に応じてそのプランジャを長手方向に往復直線運動させるための電磁力を発生させるコイルと、前記本体ケースに取り付けられて前記プランジャを前記後退位置で吸着保持する前記永久磁石と、前記本体ケースとプランジャのヘッド部との間に介装されて前記プランジャを前記突出位置に向けて付勢する前記弾発部材としての圧縮コイルばねとを有し、
前記コイルへの通電により発生するプランジャ吸引方向の電磁力が前記圧縮コイルばねの付勢力に打ち勝つことによって前記プランジャのヘッド部を前記突出位置から前記後退位置へ変位させ、これに伴い前記伝達機構を介して前記回動体を前記第二位置から第一位置へ変位させるとともに、前記コイルへの通電を遮断したとき前記永久磁石の磁着力によりその第一位置を保持する一方、
前記コイルへの通電により発生するプランジャ押出方向の電磁力と前記付勢力とが前記磁着力に打ち勝つことによって前記プランジャのヘッド部を前記後退位置から前記突出位置へ変位させ、これに伴い前記伝達機構を介して前記回動体を前記第一位置から第二位置へ変位させるとともに、前記コイルへの通電を遮断したとき前記付勢力によりその第二位置を保持する請求項１ないし３のいずれか１項に記載の遊技機用可変入賞装置。
【請求項５】
前記自己保持型ソレノイドの永久磁石は、前記本体ケースの前端部に配置されており、
前記プランジャのヘッド部は、該プランジャと別体で形成された非磁性体で構成されるとともに、前記後退位置では前記本体ケースに接触又は接近する一方、前記突出位置では該本体ケースから前方へ所定距離離間する請求項４に記載の遊技機用可変入賞装置。
【請求項６】
請求項１ないし５のいずれか１項に記載の遊技機用可変入賞装置が前記遊技盤に固定配置されたことを特徴とする遊技機。
【発明の詳細な説明】
【技術分野】
【０００１】
本発明は、遊技機の遊技盤に固定され、その遊技盤上の遊技球を受け入れるための入賞口を有する遊技機用可変入賞装置、及びそれを用いた遊技機に関するものである。
【背景技術】
【０００２】
遊技機において、例えば電動チューリップと称される遊技機用可変入賞装置では、回動体（いわゆるチューリップ；一対の回動翼片）が伝達部材等の伝達機構を介してソレノイド等のアクチュエータに連結され、アクチュエータの駆動力によって開閉作動する。そして、このような可変入賞装置の機能は、一対の回動翼片間に形成される入賞口、或いは別の入賞口に遊技球が入球したことに起因して、例えば大当たりとなり回動翼片が開放されると、その回動翼片の間に位置する入賞口に球が入りやすくなる（入賞率が相対的に高くなる）ことである。このように、回動翼片の開閉に伴って入賞率が変動するので、払い出される賞球数（出玉数）も変動する。
【０００３】
ここで、遊技機における可変入賞装置では、ソレノイドの励磁時間（通電時間）が長くなると、電力消費量が増大し発熱量も多くなるので、ソレノイド自体の寿命が短くなり、また、発熱することで周辺部品に悪影響を与えるおそれがある。確変時や時短時等に回動翼片が連続的又は断続的に長時間開放状態になる電動チューリップでは特に注意を要する。他方、可変入賞装置は賞球の払出しに直接関与するために不正行為（通称、ゴト行為）の標的となり易い。例えば、遊技機内に針金等の異物を挿入し、回動翼片、ソレノイドのプランジャ、プランジャから回動翼片へ動力伝達する伝達機構等を操作して、回動翼片を強制的に開放位置（第二位置）に移動する不正行為により、大量の賞球が不正に獲得されるおそれがある。そこで、特にソレノイドにおける電力消費量や発熱量を抑制するために、可変入賞装置に自己保持型ソレノイドを用いることが提案されている（特許文献１参照）。
【０００４】
【特許文献１】特開２００４−２６７２８４号公報
【０００５】
特許文献１の可変入賞装置では、羽根状開閉部材（回動翼片）の開閉に自己保持型ソレノイドを用いることによって、羽根状開閉部材を開位置（開放位置；第二位置）と閉位置（閉鎖位置；第一位置）とに変位するときのみソレノイドを励磁（通電）させ、変位後にはソレノイドを消磁（非通電）してもその位置を保持できる。これによって、電力消費量や発熱量を抑制し、ソレノイドの耐久性を向上させることができる。
【０００６】
しかし、特許文献１に開示された自己保持型ソレノイドでは、プランジャのヘッド部が突出位置に変位したとき羽根状開閉部材を閉位置に変位させ、ヘッド部が後退位置に変位したとき羽根状開閉部材を開位置に変位させるように、伝達機構を介して羽根状開閉部材とヘッド部とが連結されている。したがって、プランジャのヘッド部が突出位置（羽根状開閉部材が閉位置）にあるときに、閉鎖状態の羽根状開閉部材を故意に開くには、ヘッド部を直接的に又は伝達機構や羽根状開閉部材を介して間接的に、突出位置から機械的な弾発保持力（例えば、ばねの付勢力）に抗して押し込むことができる。この押し込み操作によって、ヘッド部が後退位置（羽根状開閉部材が開位置）に変位できるため、不正行為により賞球を不正に獲得されるおそれがある。また、プランジャに形成されたヘッド部が後方側に位置するように配置されているので、プランジャから羽根状開閉部材への伝達距離が比較的長くなり、伝達機構が複雑になったり、伝達ロスが大きくなったりするおそれがある。
【発明の開示】
【発明が解決しようとする課題】
【０００７】
本発明の課題は、閉鎖状態の回動体を故意に開こうとする不正行為を容易に防止できるとともに、ソレノイドのプランジャから回動体へ動力伝達する伝達機構の構成を単純化でき、かつ電力消費量や発熱量を抑制しソレノイドの耐久性を向上させることのできる遊技機用可変入賞装置とそれを用いた遊技機を提供することにある。
【課題を解決するための手段及び発明の効果】
【０００８】
上記課題を解決するために、本発明の遊技機用可変入賞装置は、
遊技機の遊技盤に固定され、その遊技盤上の遊技球を受け入れるための入賞口を有する遊技機用可変入賞装置であって、
前記遊技盤と交差する前後方向の回動軸線周りに回動可能に取り付けられ、前記入賞口の開口態様を変更するために、遊技球の入賞率が相対的に低くなる第一位置とその入賞率が相対的に高くなる第二位置との間で回動する回動体と、
遊技者側を前方側とする前後方向に配置されて励磁に伴って直線的に変位するプランジャの前端部に形成されたヘッド部を、後方側の後退位置と前方側の突出位置とでそれぞれ消磁して保持可能であり、そのプランジャの前後移動によって前記回動体を前記回動軸線周りで回動して前記第一位置と第二位置とに変位させるための自己保持型ソレノイドと、
前記回動体と自己保持型ソレノイドとの間に配置され、前記回動軸線と交差状に配置された揺動軸線周りで揺動することにより、前記プランジャのヘッド部が前記後退位置に変位したとき前記回動体を前記第一位置に変位させ、該プランジャのヘッド部が前記突出位置に変位したとき該回動体を前記第二位置に変位させるように、前記ヘッド部の前後方向への直線的な移動を前記回動体の回転移動に変換しつつ前記プランジャの駆動力を前記回動体へ伝達する伝達部材を含んで構成された伝達機構とを備え、
前記伝達部材は前記プランジャのヘッド部と連結されて該プランジャの前後移動に伴って揺動する第一係合部と、前記プランジャの中心線に対して前記回動軸線よりも外側で前記回動体に当接して該回動体を前記第一位置に維持可能な第二係合部とを有し、前記回動体が前記第一位置にあるとき、前記第一係合部とヘッド部との連結位置及び前記第二係合部と回動体との当接位置がともに前記揺動軸線よりも上方に位置するように構成され、
前記プランジャのヘッド部が前記後退位置のときに、前記連結位置は前記揺動軸線よりも上方に位置し、前記自己保持型ソレノイドが消磁して前記プランジャが永久磁石により該後退位置に磁気的に吸着保持され、前記回動体を前記第一位置に維持する一方、前記プランジャのヘッド部が前記後退位置から前記突出位置に変位するとき、前記第一係合部の揺動運動により前記揺動軸線の上方において前記連結位置が前方側に移動して、前記回動体を前記第一位置から前記第二位置に変位させ、さらに前記プランジャのヘッド部が前記突出位置のときに、前記自己保持型ソレノイドが消磁して前記プランジャが弾発部材により該突出位置に機械的に弾発保持され、前記回動体を前記第二位置に維持することを特徴とする。
【０００９】
この遊技機用可変入賞装置では、ソレノイドのプランジャの前端部に形成されたヘッド部が前方側の突出位置と後方側の後退位置との間を前後方向に直線的に変位することにより、プランジャから回動体への伝達距離を短縮して、伝達機構の構成を単純化して小型コンパクトに形成できる。また、自己保持型ソレノイドが用いられ、プランジャのヘッド部が後退位置及び突出位置で消磁されるので、電力消費量や発熱量を抑制し、ソレノイドの耐久性を向上させるとともに、省エネ化を図ることができる。
【００１０】
そして、プランジャのヘッド部は、後退時には磁気的な吸着保持（例えば永久磁石の磁着力）により回動体を閉鎖状態（第一位置）に維持し、また突出時には機械的な弾発保持（例えば圧縮コイルばねの付勢力）により回動体を開放状態（第二位置）に維持する。したがって、閉鎖状態の回動体を故意に開こうとしたとき、プランジャのヘッド部を後退位置からさらに押し込むことはできず、磁気的な吸着保持力に抗してヘッド部を直接的に又は伝達機構や回動体を介して間接的に引き出す操作には非常な困難を伴うので、不正行為を容易に防止できる。
【００１１】
具体的には、上記自己保持型ソレノイドのプランジャは、本体ケースから突出する前端部にヘッド部が形成され、
自己保持型ソレノイドは、本体ケースの内部でプランジャの周囲に巻き付けられ、励磁用印加電圧に応じてそのプランジャを長手方向に往復直線運動させるための電磁力を発生させるコイルと、本体ケースに取り付けられて（例えば内蔵されて）プランジャを後退位置で吸着保持する永久磁石と、本体ケースとプランジャのヘッド部との間に介装されてプランジャを突出位置に向けて付勢する圧縮コイルばねとを有し、
コイルへの通電により発生するプランジャ吸引方向の電磁力が圧縮コイルばねの付勢力に打ち勝つことによってプランジャのヘッド部を突出位置から後退位置へ変位させ、これに伴い伝達機構を介して回動体を第二位置から第一位置へ変位させるとともに、コイルへの通電を遮断したとき永久磁石の磁着力によりその第一位置を保持する一方、
コイルへの通電により発生するプランジャ押出方向の電磁力と付勢力とが磁着力に打ち勝つことによってプランジャのヘッド部を後退位置から突出位置へ変位させ、これに伴い伝達機構を介して回動体を第一位置から第二位置へ変位させるとともに、コイルへの通電を遮断したとき付勢力によりその第二位置を保持することができる。
【００１２】
また遊技機用可変入賞装置において、回動体は、単一の自己保持型ソレノイドで同時駆動され、かつ平行状に配置された回動軸線周りでそれぞれ回動される一対の回動翼片で構成され、
伝達機構は、回動軸線と交差状に配置された揺動軸線周りで揺動する伝達部材を含み、
その伝達部材はプランジャのヘッド部と連結されて該プランジャの前後移動に伴って揺動する第一係合部と、プランジャの中心線に対して回動軸線よりも外側で回動翼片に当接して該回動翼片を第一位置に維持可能な第二係合部とを有し、回動翼片が第一位置にあるとき、第一係合部とヘッド部との連結位置及び第二係合部と回動翼片との当接位置がともに揺動軸線よりも上方に位置するように構成することができる。
【００１３】
これによれば、伝達部材において第一係合部とプランジャのヘッド部とが連結される連結位置と、第二係合部と回動翼片とが当接する当接位置とがともに伝達部材の揺動軸線よりも上方に位置しているので、入賞口から導入される遊技球の通路への干渉を回避するとともに、背丈が低くなりコンパクト化となる。また、伝達部材において、上記連結位置及び当接位置がともに揺動軸線より上方に位置するので、プランジャのヘッド部が後退位置のときに回動翼片が第一位置となり、またプランジャのヘッド部が突出位置のときに回動翼片が第二位置となるように自己保持型ソレノイドを合理的に組み付けることができる。
【００１４】
例えば、回動翼片の回動軸線が伝達部材の揺動軸線と上下方向で近傍位置にあり、回動翼片が第一位置のとき当接位置が回動軸線よりも上方に位置し、回動翼片が第二位置のとき当接位置が回動軸線よりも下方に位置するように伝達部材が作動することで、回動翼片、自己保持型ソレノイド、伝達機構の背丈を一層低くコンパクトに抑えながら、小さな力でバランスよくスムーズに回動翼片を回動させることができる。また、回動翼片は第一位置及び第二位置の両位置において伝達部材が当接しているので、安定的に保持される。
【００１５】
なお、「伝達機構（伝達部材）による駆動力の伝達」には、回動翼片（回動体）が、第一位置から第二位置に移行する際またその逆において、重心の位置により自重（重心移動）で第二位置に向かって回動する時や、伝達部材と回動翼片との間に生じる遊び（瞬間的な伝達停止）などの一時的な非接触状態も含むものとする。
【００１６】
自己保持型ソレノイドの永久磁石は、本体ケースの前端部に配置されており、
プランジャのヘッド部は、該プランジャと別体で形成された非磁性体で構成されるとともに、後退位置では本体ケースに接触（接近）する一方、突出位置では本体ケースから前方へ所定距離離間させることができる。
【００１７】
これによると、プランジャのヘッド部がプランジャと別体でかつ非磁性体で構成されているので、永久磁石を本体ケースの前端部に配置した場合にも、その磁着力の影響を受けずスムーズにプランジャを移動させることができる。またヘッド部は、特に後退位置において本体ケースに接触（接近）するように変位するため自己保持型ソレノイドの配置上の全長をコンパクトにすることができる。なお、本体ケースとプランジャのヘッド部との間には圧縮コイルばねが介装されているので、この圧縮コイルばねを収容する形で後退することで、簡単に実現することができる。
【００１８】
また、遊技機用可変入賞装置は、入賞口を前面側から覆う前側装飾部を備え、
前側装飾部の背面側と回動体の前面側とには、一方側に形成された回動規制長孔と、他方側から突出形成されて回動規制長孔に挿入配置された規制片とからなる規制部が設けられ、
第一位置及び第二位置で回動規制長孔と規制片とが回動軸線よりも外側となる位置で当接することにより、回動体（例えば、一対の回動翼片）の回動軸線周りでの回動範囲が規制される構成とすることができる。これによれば、回動体（回動翼片）の回動範囲を回動体の前面側で規制することにより、回動体の回転半径を小さくすることができ、遊技機用可変入賞装置自体の小型コンパクト化に繋がる。
【００１９】
具体的には、例えば前側装飾部の背面側を規制片、回動体の前面側を回動規制長孔で構成できるが、この規制片と回動規制長孔とを入れ替えて実施することも可能である。
【００２０】
そこで、上記課題を解決するために、本発明の遊技機は、
以上のような遊技機用可変入賞装置が遊技盤に固定配置されたことを特徴とする。
【００２１】
これによって、周辺部品に悪影響を与えることなくソレノイド自体の長寿命化を可能とし、不正行為による賞球の不正な獲得を防止できるとともに、興趣に富む盤面構成を有する遊技機を実現することができる。
【発明を実施するための最良の形態】
【００２２】
以下、本発明の実施形態を図面を参照しつつ説明する。図１は本発明に係る遊技機用可変入賞装置を備えた遊技機を例示する正面図、図２は図１に示す遊技機用可変入賞装置の閉鎖状態における斜視図、正面図及びＡ−Ａ断面図、図３は図２の主要部を示す斜視図、平面図及び側面図、図４は遊技機用可変入賞装置の分解斜視図、図５は遊技機用可変入賞装置の開放状態における斜視図、正面図及びＢ−Ｂ断面図、図６は図５の主要部を示す斜視図、平面図及び側面図、図７は閉鎖状態における遊技機用可変入賞装置の平面図及びＣ−Ｃ断面図，並びに開放状態における同平面図及びＤ−Ｄ断面図である。
【００２３】
図１に示すように、遊技機（以下、パチンコ機ともいう）１の遊技盤２の盤面２ａの前面には、上側領域を除く外周縁に沿って形成される円弧状の発射レール２ｂによって区画され、全体として円形の遊技領域２ｃが形成されている。遊技領域２ｃの中央には液晶表示部３が搭載され、液晶表示部３の下方（遊技領域２ｃの中央下部）に大入賞口を有して入賞扉４ａによって形成されるアタッカー４が配置されている。そして、液晶表示部３とアタッカー４との間には、電動チューリップと称される遊技機用可変入賞装置（以下、入賞装置と略称する）５が配置されている。
【００２４】
なお、本明細書において、上下方向とは遊技盤２の盤面２ａに沿う形で遊技球が流下する方向（例えば、鉛直方向）を意味する。また、左右方向とは遊技盤２の盤面２ａに沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側（奥側）が後方側となる。
【００２５】
図２，図３及び図４に示すように、入賞装置５は、遊技盤２の盤面に取り付けられる台板６と、台板６に取り付けられ遊技盤２と交差（例えば、直交）する回動軸線Ｏ１，Ｏ１（図３参照）周りに回動可能な回動体としての一対の回動翼片１０，１０と、その一対の回動翼片１０，１０を回動軸線Ｏ１，Ｏ１周りで回動変位させる自己保持型ソレノイド２０と、それら回動翼片１０，１０と自己保持型ソレノイド２０との間に配置されて自己保持型ソレノイド２０の駆動力を回動翼片１０，１０へ伝達する伝達機構３０とを備えている。また、入賞装置５は、台板６から前方側に突出して固定される前側装飾部４０と、台板６の後方側で自己保持型ソレノイド２０や伝達機構３０等を固定するハウジング５０とを備えている。
【００２６】
一対の回動翼片１０,１０は、図２，図３及び図４に示すように、台板６と交差（例えば直交）する一対の平行な回動軸線Ｏ１，Ｏ１周りに回動可能に台板６へ取り付けられて、その間に入賞口７を形成する。回動翼片１０，１０は、遊技球の入賞率が相対的に低くなる第一位置（図２，３参照；以下、閉鎖位置ともいう）と、その入賞率が相対的に高くなる第二位置（図５，６参照；以下、開放位置ともいう）との間で回動し、これによって入賞口７の開口態様を変更する。
【００２７】
具体的には、回動翼片１０は、自身に形成された支持軸挿入穴１０ａと、台板６に形成された支持軸挿入穴６１と前側装飾部４０に形成されたボス状の支持軸筒４１とに支持軸１１が挿入されて、支持されている。これにより、回動翼片１０は、支持軸１１の回動軸線Ｏ１周りに回動可能に支持される。そして、一対の回動翼片１０,１０の回動軸線Ｏ１，Ｏ１は平行関係にある。また、回動翼片１０は、台板６の後方側に突出形成される突出部１０ｂを有しており、この突出部１０ｂが伝達機構３０から作用を受ける被作用部として機能して回動することとなる。
【００２８】
なお、回動翼片１０は、重心がプランジャ２１の中心線Ｏ３（図３（ｂ）参照）に対して回動軸線Ｏ１よりもそれぞれ外側に位置することにより自重（重心移動）で開放位置に回動するタイプを用いており、突出部１０ｂが回動軸線Ｏ１よりもそれぞれ外側に位置している。また、回動翼片１０は、前面側に自身の回動範囲を規制するための回動規制長孔１０ｃが回動軸線Ｏ１周りに形成されている（図７参照）。
【００２９】
次に、自己保持型ソレノイド２０は、図２，図３及び図４に示すように、前後方向に配置され励磁に伴って直線的に変位するプランジャ２１の前端部に形成されたヘッド部２２を後方側の後退位置と前方側の突出位置とでそれぞれ消磁して保持可能である。そのために、自己保持型ソレノイド２０は、本体ケース２９から突出する前端部にヘッド部２２が形成されたプランジャ２１の他に、コイル２３と永久磁石２４と圧縮コイルばね２５（弾発部材）とを有する。
【００３０】
自己保持型ソレノイド２０のコイル２３は、本体ケース２９の内部でプランジャ２１の周囲に巻き付けられ、励磁用印加電圧の極性（＋−）に応じてプランジャ２１を長手方向に往復直線運動させるための電磁力を発生させる。永久磁石２４は、本体ケース２９の前端部に配置（内蔵）されてプランジャ２１を後退位置で磁気的に吸着保持する。圧縮コイルばね２５は、本体ケース２９とプランジャ２１のヘッド部２２との間に介装され、プランジャ２１を突出位置に向けて付勢し、その突出位置で機械的に弾発保持する。
【００３１】
すなわち、自己保持型ソレノイド２０は、コイル２３への通電により発生するプランジャ２１の吸引方向の電磁力が圧縮コイルばね２５の付勢力に打ち勝つことによってプランジャ２１のヘッド部２２を突出位置から後退位置へ変位させる。そして、コイル２３への通電を遮断したとき永久磁石２４の磁着力によりプランジャ２１を後退位置に保持する。一方で、自己保持型ソレノイド２０は、コイル２３への通電により発生するプランジャ２１の押出方向の電磁力と付勢力とが磁着力に打ち勝つことによってプランジャ２１のヘッド部２２を後退位置から突出位置へ変位させる。そして、コイル２３への通電を遮断したとき付勢力により機械的にプランジャ２１を突出位置に保持する。
【００３２】
したがって、永久磁石２４の吸引力は圧縮コイルばね２５の付勢力よりも大きく、プランジャ２１のヘッド部２２は突出位置（図６参照）よりも後退位置（図３参照）においてより安定的に保持された状態となっている。
【００３３】
なお、図４に示すように、ヘッド部２２は、プランジャ２１とは別体で形成され非磁性体で構成されている。またヘッド部２２には、プランジャ２１が挿通される貫通孔２２ａと、プランジャ２１と伝達機構３０とを連結（具体的には、連結ピン２８を介してプランジャ２１の挿通孔２１ａと伝達アーム３３の連結孔３５とで連結）するための連結部２２ｂ，２２ｂとが形成されている。また、後退位置において圧縮コイルばね２５を収容するための環状のばね収容部２２ｃが形成されている（図２（ｃ）参照）。これにより、後退位置では本体ケース２９に接触（接近）する一方で、突出位置では本体ケース２９から前方へ所定距離離間する。
【００３４】
次に、伝達機構３０は、図２及び図３に示すように、回動軸線Ｏ１と交差状に配置された揺動軸線Ｏ２周りで揺動する伝達部材３１と、その伝達部材３１を自己保持型ソレノイド２０に連結する連結ピン２８とを有する。伝達部材３１は、自己保持型ソレノイド２０のプランジャ２１のヘッド部２２が後退位置に変位したとき回動翼片１０，１０を閉鎖位置に変位させ、プランジャ２１のヘッド部２２が突出位置に変位したとき回動翼片１０，１０を開放位置に変位させるように、プランジャ２１の駆動力を回動翼片１０，１０へ伝達する。すなわち、伝達機構３０は、プランジャ２１のヘッド部２２の直線的な移動を回動翼片１０，１０の回転移動に変換している。
【００３５】
具体的には、伝達部材３１は、図３及び図４に示すように、左右方向に所定の幅を有する架橋部３２と、この架橋部３２の両端に配置された左右一対の伝達アーム３３，３３とを有している。そして、伝達アーム３３，３３の両外側には、揺動軸線Ｏ２に沿って突出する一対の揺動軸３４，３４が設けられている。この揺動軸３４，３４は、ハウジング５０の揺動軸穴５１，５１に揺動可能に支持されている。また、伝達アーム３３には、プランジャ２１のヘッド部２２と連結されてプランジャ２１の前後移動に伴って揺動する第一係合部としての連結孔３５と、回動翼片１０の突出部１０ｂに当接して回動翼片１０に作用する第二係合部としての先端二股状の作用部３６とが設けられている。
【００３６】
そして、伝達部材３１は、回動翼片１０が閉鎖位置にあるとき、第一係合部（連結孔３５）とヘッド部２２（連結部２２ｂ）との連結位置及び第二係合部（作用部３６）と回動翼片１０（突出部１０ｂ）との当接位置がともに揺動軸線Ｏ２よりも上方に位置するように組み付けられている（図３（ｃ）参照）。
【００３７】
ここで、伝達アーム３３は、ヘッド部２２に形成された連結部２２ｂに両端を保持される連結ピン２８が、プランジャ２１の挿通孔２１ａとともに連結孔３５を貫通してヘッド部２２と連結される。なお、伝達アーム３３の第一係合部として連結孔３５を例示したが、これに限定するものではなく、ヘッド部２２と係合（連結）できる構造（係合手段）であればよい。また、伝達アーム３３は、回動翼片１０，１０の突出部１０ｂ，１０ｂの間隔（位置）に対応して段差的に広がる拡幅部３７，３７を形成して作用部３６，３６の間隔が調整されている。
【００３８】
作用部３６は、回動翼片１０が閉鎖位置のとき、図３（ａ），（ｃ）に示すように、上下に二股状に分かれた下側の作用部３６ａが回動翼片１０の突出部１０ｂを下方から当接して押し上げる一方、回動翼片１０が開放位置のとき、図６（ａ），（ｃ）に示すように、上側の作用部３６ｂが回動翼片１０の突出部１０ｂを上方から当接して押圧する。すなわち、回動翼片１０の回動軸線Ｏ１が伝達部材３１の揺動軸線Ｏ２と上下方向で近傍位置にあり、回動翼片１０が閉鎖位置のとき当接位置が回動軸線Ｏ１（揺動軸線Ｏ２）よりも上方に位置し（図３（ｃ）参照）、回動翼片１０が開放位置のとき当接位置が回動軸線Ｏ１（揺動軸線Ｏ２）よりも下方に位置するように移動する（図６（ｃ）参照）。これにより、閉鎖位置と開放位置との間で回動翼片１０の突出部１０ｂの左右方向の移動を極力小さくするとともに、作用部３６の突出部１０ｂを押圧する力の伝達ロスを極力小さくすることができる（具体的には、作用部３６が揺動軸線Ｏ２の高さと近傍位置で突出部１０ｂに作用することにより、前後方向の力のベクトル（分力）がない（小さい）状態で効率良く上下方向に作用することができ力の伝達ロスの低減を図ることができる）。さらには、回動翼片１０、自己保持型ソレノイド２０、伝達機構３０の背丈を一層低くコンパクトに抑えることができる。
【００３９】
なお、伝達部材３１は、回動翼片１０が閉鎖位置のとき、作用部３６（具体的には、上側の作用部３６ｂ）の上端が台板６から後方に延出される天井規制部６９の下面に当接して回動規制されている。これにより、伝達部材３１の回動範囲を物理的に規制しているので、回動翼片１０が開放位置から閉鎖位置へ変位（作動）するときに突出部１０ｂにかかる負荷を軽減することができる。また見方を換えれば、永久磁石２４の磁着力の増大を図ることで、確実に回動翼片１０を閉鎖位置で保持することが可能となり、不正行為を効果的に防止することができる。
【００４０】
次に、前側装飾部４０は、図４及び図７に示すように、回動翼片１０と対向する背面側に、回動翼片１０の前面側に形成された回動規制長孔１０ｃに挿入配置される規制片４２が支持軸筒４１（回動軸線Ｏ１）よりも外側に突出形成している。これにより、回動翼片１０は、図７の各断面図に示すように、閉鎖位置（図７（ａ）参照）及び開放位置（図７（ｂ）参照）それぞれで回動規制長孔１０ｃの内壁面が規制片４２の外壁面に回動軸線Ｏ１よりも外側となる位置で当接する。したがって、このような簡単な構造で、省スペース化を図るとともに、回動軸線Ｏ１周りで回動範囲を規制することができる。
【００４１】
なお、図２及び図４に示すように、台板６には、入賞口７から入賞した遊技球を前方側から後方側に導入させるための厚さ方向（前後方向）に貫通する通過孔６２が形成され、その通過孔６２の周縁下部から後方へ連続的に延出される玉樋６３が形成されている。そして、台板６の背面側にはハウジング５０が固定されており、そのハウジング５０に玉樋６３によって案内された遊技球を検出する近接スイッチ８が玉樋６３の先端に連続するように固定されている。近接スイッチ８は、遊技球が入賞口７に入賞したことを検知するための非接触式の検出センサである。
【００４２】
また、ハウジング５０において、自己保持型ソレノイド２０は、本体ケース２９の前端側に配置された永久磁石２４が、近接スイッチ８の検知部８ａから距離ｄだけ後方に離間（遠ざけて）するように配置されている。ハウジング５０には、近接スイッチ８の検知部８ａの上方及び自己保持型ソレノイド２０の前方でせり上がるリップ部５９が形成されており、遊技球が永久磁石２４の磁着力の影響を受けないように配慮されている。
【００４３】
次に、以上のような構成を有する入賞装置５の作動を説明する。入賞装置５は、図２，図３及び図５，図６に示すように、入賞口７、或いは別の入賞装置の入賞口に遊技球が入球したことに起因して、自己保持型ソレノイド２０（コイル２３）が通電状態となり、一対の回動翼片１０，１０を開放させる。そして、所定条件（例えば、遊技球が１個入賞するまで開放、複数個入賞するまで開放、予め定められた時間経過するまで開放など）に達すると閉鎖される。
【００４４】
まず、入賞装置５の回動翼片１０は、図２及び図３に示すように、遊技球の入賞が困難な通常状態（通常の遊技状態）として利用される閉鎖位置に設定されている。すなわち、通常状態に設定される（戻る）際、コイル２３の一方向への通電により、励磁用印加電圧の極性（例えば＋極性）に応じてプランジャ吸引方向の電磁力が発生する。この電磁力が圧縮コイルばね２５の付勢力に打ち勝つことによって、プランジャ２１のヘッド部２２は突出位置（図５（ｃ））から後退位置（図２（ｃ））へ変位する。これに伴い、伝達機構３０を介して回動翼片１０，１０は、開放位置（図５（ａ））から閉鎖位置（図２（ａ））へ変位する。その後、コイル２３への通電を遮断しても、永久磁石２４の磁着力により回動翼片１０，１０は閉鎖位置（図２（ａ））を磁気的に吸着保持する。
【００４５】
この通常状態から、入賞口７或いは別の入賞装置の入賞口に遊技球が入球すると、コイル２３の逆方向への通電により、励磁用印加電圧の極性（例えば−極性）に応じてプランジャ押出方向の電磁力が発生する。この電磁力と圧縮コイルばね２５の付勢力とが永久磁石２４の磁着力に打ち勝つことによって、プランジャ２１のヘッド部２２は後退位置（図２（ｃ））から突出位置（図５（ｃ））へ変位する。これに伴い、伝達機構３０を介して回動翼片１０は、閉鎖位置（図２（ａ））から開放位置（図５（ａ））へ変位する。
【００４６】
具体的には、プランジャ２１のヘッド部２２が後退位置（図２（ｃ））から突出位置（図５（ｃ））へ移行する途中では、伝達部材３１が揺動軸線Ｏ２周りで回動（反時計回り方向）することによって、回動翼片１０の突出部１０ｂを押圧していた下側の作用部３６ａが下方に離間する。これに伴い、回動翼片１０は自重（重心移動）で開放位置へ回動する。そして、上側の作用部３６ｂが上方から突出部１０ｂに当接して開放位置に保持する。このようにして、回動翼片１０が回動軸線Ｏ１周りに回動して開放位置へ変位する。その後、コイル２３への通電を遮断しても、圧縮コイルばね２５の付勢力により回動翼片１０は開放位置を機械的に弾発保持する。なお、回動翼片１０が開放位置へ回動する際に、上側の作用部３６ｂが突出部１０ｂを上方から追従（追跡）するので、例えば支持軸１１に埃等が付着して回動し難い場合に、開放動作を補助する役割をもつ。
【００４７】
そして、入賞口７への所定個数の入賞を近接スイッチ８が検出したとき、又は所定時間が経過したときに、再びコイル２３の一方向への通電により、プランジャ２１のヘッド部２２は突出位置（図５（ｃ））から後退位置（図２（ｃ））へ変位し、回動翼片１０は開放位置（図５（ａ））から閉鎖位置（図２（ａ））へ変位する。その後、コイル２３への通電を遮断しても、永久磁石２４の磁着力により回動翼片１０は閉鎖位置（図２（ａ））を磁気的に吸着保持する。以上を入賞装置５の作動の１サイクルとして回動翼片１０の開閉操作が繰り返される。
【００４８】
このように、プランジャ２１の前端部に形成されたヘッド部２２が前方側の突出位置（図５（ｃ））と後方側の後退位置（図２（ｃ））との間を前後方向に直線的に変位することにより、プランジャ２１から回動翼片１０への伝達距離を短縮して、伝達機構３０（例えば伝達部材３１）の構成を単純化して小型コンパクトに形成できる。また、自己保持型ソレノイド２０が用いられ、プランジャ２１のヘッド部２２が後退位置及び突出位置で消磁されるので、電力消費量や発熱量を抑制し、自己保持型ソレノイド２０の耐久性を向上させるとともに、省エネ化を図ることができる。
【００４９】
そして、プランジャ２１のヘッド部２２は、後退時には永久磁石２４の磁着力により回動翼片１０を閉鎖状態に維持し、また突出時には圧縮コイルばね２５の付勢力により回動翼片１０を開放状態に維持する。したがって、閉鎖状態（図２（ａ））の回動翼片１０を故意に開こうとしたとき、プランジャ２１のヘッド部２２を後退位置（図２（ｃ））からさらに押し込むことはできず、永久磁石２４の磁着力に抗してヘッド部２２を直接的に又は伝達機構３０（例えば伝達部材３１）や回動翼片１０を介して間接的に引き出す操作には非常な困難を伴うので、不正行為を容易に防止できる。
【００５０】
なお、本発明において、上記実施例に限定されるものではなく、特許請求の範囲の趣旨を逸脱しない限りにおいて、目的、用途に応じて当業者の知識に基づく種々の変更が可能である。例えば、一対の回動翼片に代えて、片開きタイプの回動翼片にも問題なく適用することができる。
【図面の簡単な説明】
【００５１】
【図１】本発明に係る遊技機用可変入賞装置を備えた遊技機を例示する正面図。
【図２】図１に示す遊技機用可変入賞装置の閉鎖状態における斜視図、正面図及びＡ−Ａ断面図。
【図３】図２の主要部を示す斜視図、平面図及び側面図。
【図４】遊技機用可変入賞装置の分解斜視図。
【図５】遊技機用可変入賞装置の開放状態における斜視図、正面図及びＢ−Ｂ断面図。
【図６】図５の主要部を示す斜視図、平面図及び側面図。
【図７】閉鎖状態における遊技機用可変入賞装置の平面図及びＣ−Ｃ断面図，並びに開放状態における同平面図及びＤ−Ｄ断面図。
【符号の説明】
【００５２】
１    遊技機
２    遊技盤
２ａ  盤面
３    液晶表示部
４    アタッカー
５    入賞装置（遊技機用可変入賞装置）
６    台板
７    入賞口
８    近接スイッチ
１０  回動翼片（回動体）
１０ａ  支持軸挿入穴
１０ｂ  突出部
１０ｃ  回動規制長孔（規制部）
１１  支持軸
２０  自己保持型ソレノイド
２１  プランジャ
２１ａ  挿通孔
２２  ヘッド部
２２ａ  貫通孔
２２ｂ  連結部
２２ｃ  ばね収容部
２３  コイル
２４  永久磁石
２５  圧縮コイルばね（弾発部材）
２８  連結ピン
２９  本体ケース
３０  伝達機構
３１  伝達部材
３２  架橋部
３３  伝達アーム
３４  揺動軸
３５  連結孔（第一係合部）
３６  作用部（第二係合部）
４０  前側装飾部
４１  支持軸筒
４２  規制片（規制部）
５０  ハウジング
５１  揺動軸穴
６１  支持軸挿入穴
６２  通過孔
６３  玉樋
Ｏ１  回動軸線
Ｏ２  揺動軸線
【図１】
0005053751.tif 000002
【図２】
0005053751.tif 000003
【図３】
0005053751.tif 000004
【図４】
0005053751.tif 000005
【図５】
0005053751.tif 000006
【図６】
0005053751.tif 000007
【図７】
0005053751.tif 000008